(57)【要約】【課題】低運転費で施設から出る排水を浄化して再利用可能とする排水浄化システムを提供し、施設の共益費を低減させるとともに、環境負荷を軽減させることを課題とする。【解決手段】排水を処理して浄化し、再利用可能とする排水浄化システム１において、施設から排出された排水の生物学的処理する曝気手段を備えた生物学的処理手段と、排水中の固形分を凝集し、該固形分を分離する凝集分離手段と、排水中に次亜塩素酸を供給する電解手段と、ろ過手段とを備えた。【選択図】図１
2006224064.tif 000002
【特許請求の範囲】
【請求項１】
排水を処理して浄化し、再利用可能とする排水浄化システムにおいて、施設から排出された排水の生物学的処理する曝気手段を備えた生物学的処理手段と、排水中の固形分を凝集し、該固形分を分離する凝集分離手段と、排水中に次亜塩素酸を供給する電解手段と、ろ過手段とを備えたことを特徴とする排水浄化システム。
【請求項２】
前記排水を、生物学的処理手段、凝集分離手段、電解手段、ろ過手段の順に処理することを特徴とする請求項１に記載の排水浄化システム。
【発明の詳細な説明】
【技術分野】
【０００１】
本発明は、オフィスビルやホテル、病院、マンションなどの施設から出る生活排水を処理して浄化し、再利用可能とする排水浄化システムに関する。
【背景技術】
【０００２】
オフィスビルやホテル、病院、マンションなどの利用者数が多い施設では、一般家庭に比べ多量の水が必要とされる。そのため、従来、このような施設で用いられる水を全て上水で賄う場合、特に都市部においては、上水道及び下水道の利用料金が嵩むことから、施設の共益費が高くなるという問題や、施設から有機物を多く含む排水が処理されずそのまま排出されるため、環境負荷が大きくなるという問題が生じている。
【０００３】
そこで、これらの問題を解消するために、施設から出る排水を処理して浄化し、トイレの洗浄用や散水用、清掃用などに中水として再利用可能とする排水浄化システムが提案されている。このような排水浄化システムとしては、排水中に凝集材を投入して固形分を凝集し、該固形分を分離することにより排水の浄化を行うもの（例えば、特許文献１参照）や、排水に混合した塩水の電気分解を行って排水中に次亜塩素酸を生成し、該次亜塩素酸により排水の浄化を行うもの（例えば、特許文献２参照）などがある。
【特許文献１】特開２００３−３４０４６４号公報
【特許文献２】特開２０００−１１７２５７号公報
【発明の開示】
【発明が解決しようとする課題】
【０００４】
しかし、従来の排水浄化システムによる排水の浄化効果と排水の浄化にかかる費用とを勘案すると、費用対効果が十分なのものとは言い難い。そこで本発明は、低運転費で施設から出る排水を浄化して再利用可能とする排水浄化システム及びその方法を提供し、施設の共益費を低減させるとともに、環境負荷を軽減させることを目的とする。
【課題を解決するための手段】
【０００５】
本発明の解決しようとする課題は以上の如くであり、次にこの課題を解決するための手段を説明する。
【０００６】
即ち、請求項１においては、排水を処理して浄化し、再利用可能とする排水浄化システムにおいて、施設から排出された排水の生物学的処理する曝気手段を備えた生物学的処理手段と、排水中の固形分を凝集し、該固形分を分離する凝集分離手段と、排水中に次亜塩素酸を供給する電解手段と、ろ過手段とを備えたものである。
【０００７】
請求項２においては、前記排水を、生物学的処理手段、凝集分離手段、電解手段、ろ過手段の順に処理するものである。
【発明の効果】
【０００８】
本発明の効果として、以下に示すような効果を奏する。
【０００９】
請求項１においては、排水を処理して浄化し、再利用可能とする排水浄化システムにおいて、施設から排出された排水の生物学的処理する曝気手段を備えた生物学的処理手段と、排水中の固形分を凝集し、該固形分を分離する凝集分離手段と、排水中に次亜塩素酸を供給する電解手段と、ろ過手段とを備えたことから、該排水浄化システムにて低運転費で排水を処理して浄化し、施設に再利用することができる。したがって、施設の上水道及び下水道の利用を減少させることができ、該施設の共益費を低減するとともに、環境負荷を軽減することができる。
【００１０】
請求項２においては、前記排水を、生物学的処理手段、凝集分離手段、電解手段、ろ過手段の順に処理することから、排水を費用対効果が高くなるように浄化することができ、排水の処理効率を高めることができる。
【発明を実施するための最良の形態】
【００１１】
次に、発明の実施の形態を説明する。
【００１２】
図１は本発明の一実施例に係る排水浄化システムの構成を示した図である。
【００１３】
本発明の排水浄化システムは、オフィスビルやホテル、病院、マンションなどの利用者数が多く、排水量が多量となる施設に設けられ、このような施設から出る生活排水を処理して浄化し、中水としてトイレの洗浄用や散水用、清掃用などに再利用可能とするものである。
【００１４】
図１に示すように、排水浄化システム１は主に調整槽２と、接触酸化処理槽３と、凝集分離槽４と、電極反応器５と、ろ過器６と、処理水槽７とから構成されている。そして、該排水浄化システム１が備えられる施設１０はその排水排出側から排水が排水ピット１１に配管などを介して排出可能とされ、施設１０の処理水導入側に貯溜タンク１２から配管などを介して中水が供給可能とされている。なお、排水浄化システム１に備えられる各機器は図示しない制御装置に接続され、該制御装置により一括して制御される。
【００１５】
前記排水ピット１１は、ホテル、病院、マンションなどの施設１０から出た排水を一時的に貯溜して下水等へ排出するものであり、該排水ピット１１に備えられたポンプ１３によって、排水の一部が排水ピット１１から調整槽２に送出される。
【００１６】
調整槽２は、排水浄化システム１に流入した排水を曝気して浄化するための槽であり、調整槽２内ではブロワ１７によって調整槽２に貯溜された排水に空気を送り、排水中に投入しておいた微生物に酸素を供給するとともに排水を攪拌して有機物の分解を促進させて浄化が行われる。該調整槽２と接触酸化処理槽３との間にはスクリーン１６が設けられ、該調整槽２に一旦貯溜された排水がその流量を調整されて、ポンプ１５によってスクリーン１６を介して接触酸化処理槽３に送出される。該スクリーン１６により排水中に含まれるし渣などの爽雑物が除去される。
【００１７】
接触酸化処理槽３は排水を生物学的処理するためのものであり、ブロワ２１を備え、該ブロワ２１で接触酸化処理槽３中の排水に下部から空気を送りながら、該排水を攪拌して曝気が行われるように構成されている。該接触酸化処理槽３の内部には合成樹脂などからなる接触材が備えられ、該接触材の表面に生物膜が生成され、付着されている。こうして、接触酸化処理槽３内では、排水が曝気により攪拌され、十分な酸素の供給を受けて循環しつつ、接触材の生物膜と接触することで、排水中の有機物が酸化分解され、二度目の排水の浄化が行われる。
【００１８】
前記接触酸化処理槽３は凝集分離槽４と連通され、該接触酸化処理槽３で生物学的処理された排水が凝集分離槽４に送出可能とされている。接触酸化処理槽３と凝集分離槽４とを連通する排水経路には、該凝集材タンク２２に備えられたポンプ２３によって凝集材が接触酸化処理槽３からの排水と混合した状態で凝集分離槽４に導入可能とされている。
【００１９】
凝集分離槽４は排水中の固形分を凝集し、該固形分を分離するためのものであり、中間槽２４に連通されている。凝集分離槽４内では、凝集材により排水中の懸濁物などの固形分が凝集されて、フロックに生成され、フロックが水面まで浮上してスカムが形成される。該スカムが凝集分離槽に備えられたかき寄せ装置や搬送装置にて回収され、凝集分離槽４から中継タンク２６に送出される。こうして、排水から固形分が分離される。
【００２０】
前記凝集分離槽４で処理された排水は、中間槽２４に送出されて一旦貯溜される。中間槽２４は電極反応器５と連通され、該中間槽２４に備えられたポンプ２５によって、中間槽２４から電極反応器５に排水が送出される。該中間槽２４と電極反応器５とを連通する排水経路には、塩素イオンを含む溶液である塩水を貯溜する塩溶解タンク２８が連通され、該塩溶解タンク２８に備えられたポンプ２９によって、塩溶解タンク２８から電極反応器５に塩水が中間槽２４からの排水と混合した状態で電極反応器５に導入される。
【００２１】
電極反応器５は次亜塩素酸を供給する電解手段となるためのものであり、ろ過器６と中間槽２４とに連通されている。電極反応器５においては、隔膜を介して二枚の電極が備えられ、塩水の電気分解が行われる。塩水の電気分解では、陽極側に強酸性電解水が生成され、該強酸性電解水に含まれる次亜塩素酸により排水中の菌が殺菌されるとともに、排水の着色の原因となる高分子有機物が酸化分解され、排水の脱色が行われる。またさらに、強酸性電解水で排水中の菌が殺菌除去されるとともに、有機物が酸化分解されて排水の脱臭が行われる。こうして、三度目の排水の浄化が行われる。
【００２２】
このようにして電極反応器５で処理された排水は、ろ過器６と中間槽２４に送出可能とされる。ろ過器６は通過できる最大流量が決まっており、電極反応器５からろ過器６に容量以上排出された場合はその余剰分が中間槽２４に戻される。また、ろ過器６は逆流させることで洗浄もできるため、洗浄時には電極反応器５とろ過器６の間を連通する配管途中に設けたバルブ２７を閉じることにより、電極反応器５と中間槽２４との間で循環され、同時に処理水槽７から中継タンク２６へ送られる。また、バルブ２７を閉じることにより電極反応器５での処理を繰り返し行うことができる。該排水の循環は任意に行うことができ、一定期間だけ連続的に行うこともできるし、あるいは常時連続的に行うこともできる。
【００２３】
また、電極反応器５において、電極に流す電流と排水に添加する塩水の量を調整することで、電解反応器５から送出される排水中の残留塩素濃度を水道水と同等かそれ以下にすることや、さらに高濃度に調整し、処理水を減菌水として再度利用することも可能である。
【００２４】
ろ過器６はその内部にろ材を備え、下流側で処理水を貯溜する処理水槽７と連通されて、電極反応器５から送出された排水をそれ以前に処理できなかった異物を除去した後、該排水を処理水として処理水槽７に送出できるように構成されている。
【００２５】
前記処理水槽７は連通する第一処理水槽７ａと第二処理水槽７ｂとから構成され、ろ過器６から送出される処理水が第一処理水槽７ａに貯溜され、該第一処理水槽７ａから第二処理水槽７ｂに処理水の一部が供給可能とされている。そして、第二処理水槽７ｂが前記ろ過器６とその下流側で連通され、該第二処理水槽７ｂに備えられたポンプ３１によって、第二処理水槽７ｂからろ過器６に処理水を排水と反対方向に送出できるように構成されている。
【００２６】
さらに、ろ過器６の下流側にはブロワ３２が連通され、該ブロワ３２でろ過器６に空気を排水と反対方向に送出できるように構成されている。これにより、ろ過器６に下流側から処理水を第二処理水槽７ｂからポンプ３１で送出すると同時に、ブロワ３２で空気を流すことで、ろ過器６内部の洗浄と、ろ材の逆洗とが実行可能とされている。なお、この際に生じる排水は中継タンク２６に排出される。
【００２７】
また、前記第一処理水槽７ａは施設１０の貯溜タンク１２に連通され、第一処理水槽７ａに備えられたポンプ３３によって、第一処理水槽７ａから貯溜タンク１２に処理水が送出可能とされている。こうして、施設１０から出た排水は排水浄化システム１によって処理され、再利用可能な処理水（中水）として貯溜タンク１２に貯溜され、該貯溜タンク１２から施設１０に供給可能とされている。こうして得られた中水は施設１０においてトイレ用や掃除用などに利用することができるのである。
【００２８】
以上のように、排水浄化システム１に施設１０から排出された排水の生物学的処理する曝気手段を備えた接触酸化処理槽３からなる生物学的処理手段と、排水中の固形分を凝集し、該固形分を分離する凝集分離槽４からなる凝集分離手段と、排水中に次亜塩素酸を供給する電極反応器５からなる電解手段と、ろ過器６からなるろ過手段を備えたので、該排水浄化システム１にて低運転費で排水を処理して浄化し、施設１０に再利用することができる。したがって、施設１０の上水道及び下水道の利用を減少させることができ、該施設１０の共益費を低減するとともに、環境負荷を軽減することができる。
【００２９】
また、前記排水浄化システム１においては、排水を生物学的処理手段、凝集分離手段、電解手段、ろ過手段の順に処理することから、排水を費用対効果が高くなるように浄化することができ、排水の処理効率を高めることができる。
【図面の簡単な説明】
【００３０】
【図１】本発明の一実施例に係る排水浄化システムの構成を示した図。
【符号の説明】
【００３１】
１    排水浄化システム
２    調整槽
３    接触酸化処理槽
４    凝集分離槽
５    電極反応器
６    ろ過器
７    処理水槽
【図１】
2006224064.tif 000003